(57)【要約】【課題】  部品点数を増加せずに有害光の遮光を図る。【解決手段】  ミラー支持部材３の回動軸方向の両端には、ファインダスクリーン４からミラー部材２側に導かれる光を遮光する第１の遮光壁３ａがファインダスクリーン側に立ち上がるようにそれぞれ形成されるとともに、スクリーン支持部材５の上記回動軸１０方向の両端には、ファインダスクリーン４からミラー部材２側に導かれる光を遮光する第２の遮光壁５ａがミラー部材２側に立ち上がるようにそれぞれ形成される。ミラー部材２が撮影位置（撮影光路から退避した位置）にあるとき、各一対の第１の遮光壁３ａと第２の遮光壁５ａとがファインダ用光束の光軸Ｌ２と直交する方向にそれぞれ互いに重なる。【選択図】        図２
2005099623.tif 000002
【特許請求の範囲】
【請求項１】
ミラー支持部材に支持され、撮影光路中にあって撮影光束をファインダ用光束として反射する非撮影位置と、撮影光路から退避する撮影位置との間で所定の回動軸回りに回動可能なミラー部材と、
スクリーン支持部材に支持され、前記ミラー部材からの前記ファインダ用光束が結像されるファインダスクリーンとを有し、
前記ミラー支持部材の前記回動軸方向の両端には、前記ファインダスクリーンから前記ミラー部材側に導かれる光を遮光する第１の遮光壁が前記ファインダスクリーン側に立ち上がるようにそれぞれ形成されるとともに、前記スクリーン支持部材の前記回動軸方向の両端には、前記ファインダスクリーンからミラー部材側に導かれる光を遮光する第２の遮光壁が前記ミラー部材側に立ち上がるようにそれぞれ形成され、前記ミラー部材が前記撮影位置にあるときに、前記各一対の第１の遮光壁と第２の遮光壁とが前記ファインダ用光束の光軸と直交する方向にそれぞれ互いに重なるよう構成したことを特徴とする一眼レフカメラ。
【請求項２】
前記第１の遮光壁は、前記ミラー支持部材の両端をそれぞれ折り曲げて形成され、前記第２の遮光壁は、前記スクリーン支持部材の両端をそれぞれ折り曲げて形成されることを特徴とする請求項１に記載の一眼レフカメラ。
【請求項３】
前記第１，第２の遮光壁は、一対の第１の遮光壁が一対の第２の遮光壁のそれぞれ外面を覆うよう重なることを特徴とする請求項１または２に記載の一眼レフカメラ。
【発明の詳細な説明】
【技術分野】
【０００１】
本発明は、接眼レンズからファインダ内に導かれた光が露光結果に悪影響を与えないよう工夫した一眼レフカメラに関する。
【背景技術】
【０００２】
一眼レフカメラにおいては、撮影レンズの透過光束をミラーによってファインダ光学系に導き、接眼レンズにて像の観察を可能ならしめ、レリーズ操作がなされるとミラーをアップして撮影光路から退避させ、フィルムや撮像素子への露光を可能とする。ファインダ光学系には、ミラーの状態に拘わらず接眼レンズから外部の光が常に入射しており、もし露光中にこの入射光が露光面に到達すると露光結果に悪影響を与える。
【０００３】
特許文献１には、ミラーが撮影光路から退避するのに連動して遮光部材を視野制限マスクの開口に移動させ、上述した接眼レンズからの入射光を遮光するようにしたカメラが開示されている。
【０００４】
【特許文献１】特開昭６１−４６９４１号公報
【発明の開示】
【発明が解決しようとする課題】
【０００５】
しかしながら、特許文献１の方法にて遮光を図ろうとすると、遮光部材やその連動機構（レバー，ばね等）が新たに必要となり、スペース的な問題に加えて、部品点数の増加や工数増大に伴うコストアップの問題がある。
【課題を解決するための手段】
【０００６】
本発明に係る一眼レフカメラは、ミラー支持部材に支持され、撮影光路中にあって撮影光束をファインダ用光束として反射する非撮影位置と、撮影光路から退避する撮影位置との間で所定の回動軸回りに回動可能なミラー部材と、スクリーン支持部材に支持され、ミラー部材からのファインダ用光束が結像されるファインダスクリーンとを有し、ミラー支持部材の上記回動軸方向の両端には、ファインダスクリーンからミラー部材側に導かれる光を遮光する第１の遮光壁がファインダスクリーン側に立ち上がるようにそれぞれ形成されるとともに、スクリーン支持部材の上記回動軸方向の両端には、ファインダスクリーンからミラー部材側に導かれる光を遮光する第２の遮光壁がミラー部材側に立ち上がるようにそれぞれ形成され、ミラー部材が撮影位置にあるときに、各一対の第１の遮光壁と第２の遮光壁とがファインダ用光束の光軸と直交する方向にそれぞれ互いに重なるよう構成される。
請求項２の発明は、ミラー支持部材およびスクリーン支持部材の両端をそれぞれ折り曲げて第１，第２の遮光壁をそれぞれ形成したものである。
請求項３の発明は、一対の第１の遮光壁が一対の第２の遮光壁のそれぞれ外側を覆うよう構成したものである。
【発明の効果】
【０００７】
本発明によれば、ミラー部材が撮影位置にあるときに、ミラー支持部材およびスクリーン支持部材にそれぞれ設けた各一対の第１，第２の遮光壁がファインダ用光束の光軸と直交する方向にそれぞれ互いに重なるよう構成したので、別体の遮光部材やその連動機構を設けることなく有害光の遮光が図れる。
【発明を実施するための最良の形態】
【０００８】
図１および図２により本発明の一実施の形態を説明する。
図１は本実施形態における一眼レフカメラの要部を光軸で切った側面断面図、図２はそのII−II線断面図である。撮影レンズ１を透過した被写体光束は、撮影光路内にあるミラー（二点鎖線で示す）２で反射され、その反射光束はファインダスクリーン４に結像された後、ペンタプリズム６を介して接眼レンズ７にて観察される。レリーズ操作がなされると、ミラー２が実線位置までアップして撮影光路から退避し、続いてシャッタ８が開き、撮影レンズ１の透過光束はシャッタ８の開口を通ってフィルム９に達し、露光が行われる。図１のＬ１は撮影レンズ１の光軸を、Ｌ２はミラー２での反射光（ファインダ用光束）の光軸をそれぞれ示している。
【０００９】
次に、ミラー２およびファインダスクリーン４回りの詳細構造を説明する。
ミラー２は、ミラーボックスＭＢ内においてミラー枠３に支持されている。ミラー枠３は回動軸１０を介してカメラ本体に回動可能に軸支され、このミラー枠３の回動によりミラー２が上述のように撮影光路に挿入／退避される。ミラー枠３の図２における左右端、換言すれば回動軸１０方向の両端部は、ミラー２を抱え込むように上方に折り曲げられ、それらの折り曲げ部３ａが遮光壁を形成する。
【００１０】
一方、ファインダスクリーン４はミラー２の上部においてスクリーン枠５に支持されている。スクリーン４を支持したスクリーン枠５は、ペンタプリズム６などとともに予め保持部材１１に保持され、ファインダユニットとして部組化されている。ファインダユニットは、保持部材１１が支持部１２にビス１３および位置調整用ワッシャ１４を介して螺着されることで固定される。スクリーン枠５のうちスクリーン４の左右端部を支持する部分は下方に折り曲げられ、それらの折り折り曲げ部５ａが遮光壁を形成する。ミラーアップ時、ミラー枠３の一対の遮光壁３ａは、スクリーン枠５の一対の遮光壁５ａの外面をそれぞれ覆う状態となり、各遮光壁３ａと各遮光壁５ａとが光軸Ｌ２と直交する方向に重なるようになっている。
【００１１】
以上の構成において、接眼レンズ７からファインダ内に入射した外光は、ペンタプリズム６を介してファインダスクリーン４に達し、ファインダスクリーン４で拡散された光がミラー２側に導かれる。この拡散光は、撮影時にフィルム面に達すると撮影結果に悪影響を与えることがある。拡散光の大部分は、ミラー枠３に遮光されてミラー枠３よりも下方には達しないが、ミラー枠３とミラーボックス壁面との間には隙間があるため、ここから拡散光が漏れることが懸念される。しかし、本実施形態の構造では、上述したようにミラー枠３およびスクリーン枠５の双方に各一対の遮光壁３ａ，５ａが設けられており、しかもミラーアップ時にはこれらの遮光壁３ａ，５ａの先端同士が重なる構造となっているので、ファインダスクリーン４を透過した拡散光は遮光壁３ａ，５ａにほぼ完全に遮光され、ミラー枠３よりも下方、つまりフィルム面に到達し得る箇所に導かれることはない。
【００１２】
因みに、図３は上述したような遮光壁が設けられていない例を示しており、この場合は、矢印の如くミラー枠３３とミラーボックス内壁との隙間から漏れた光がミラー枠３３の下方に至り、これが有害光としてフィルム面に達するおそれがある。これを防止すべくミラーボックス内壁に植毛紙などの遮光部材２１を貼着したり、つや消し塗料を塗布するなどの対策が考えられるが、漏光を完全に防止し切れるものではない。
【００１３】
そして、本実施形態の構成では、遮光壁３ａ，５ａはミラー枠３およびスクリーン枠５の一部をそれぞれ折り曲げて形成したものであるから、別体の遮光部材を設ける必要はなく、またミラー２の動きに連動して遮光部材を駆動する連動機構も一切不要であり、実質的に部品点数は増加しない。したがって、スペース的な問題はなく、またコストアップを最小限に抑えることができる。さらに、カメラの製造工程において、ファインダスクリーン面を露光面と等価な位置にするために、上記位置調整用のワッシャ１４の厚みを変えることでファインダユニットの上下位置調整を行うが、この位置調整を行っても遮光壁３ａ，５ａの重なり部分の長さが多少変わるだけで、遮光性に影響を与えることはない。
【００１４】
なお、上記の実施形態と比べて遮光性は劣るが、ミラー枠３の遮光壁３ａがスクリーン枠５の遮光壁５ａの内側に入り込む構造でもよい。さらにミラー枠３，スクリーン枠５の一部を折り曲げることで遮光壁を構成したが、別体の遮光壁をミラー枠３，スクリーン枠５に取り付ける構造でもよい。またフィルムを扱うカメラにて説明したが、ＣＣＤ等の撮像素子を有するデジタルスチルカメラにも本発明を適用できる。
【図面の簡単な説明】
【００１５】
【図１】一実施形態におけるカメラの上部を示す側面断面図。
【図２】図１のII−II線断面図。
【図３】遮光壁を設けない場合の問題点を説明する図。
【符号の説明】
【００１６】
１  撮影レンズ
２  ミラー
３  ミラー枠
３ａ，５ａ  遮光壁
４  ファインダスクリーン
５  スクリーン枠
６  ペンタプリズム
７  接眼レンズ
８  シャッタ
９  フィルム
１０  回動軸
ＭＢ  ミラーボックス
【図１】
2005099623.tif 000003
【図２】
2005099623.tif 000004
【図３】
2005099623.tif 000005